(57)【要約】      （修正有）【課題】簡単な構造でありながら、磁性体の空き缶と非磁性体の空き缶を正確に分別して収集する空き缶分別回収箱を提供する。【解決手段】空き缶分別回収箱は、箱本体２と、箱本体２内に設けられた磁性体缶収容部６と非磁性体缶収容部５と、箱本体２の上部に設けられた蓋３と、蓋３に連結された缶案内部材７と、缶案内部材７に設けられた磁石９と、缶押し出し部材８と、缶案内部材７に設けられた缶押し出し部材進入空間を有し、缶案内部材７は蓋３の動きに連動し、缶案内部材７の動きによって缶押し出し部材８が缶押し出し部材進入空間に進入・退出を行う。【選択図】図２
0003204719.tif 000002
【実用新案登録請求の範囲】
【請求項１】
箱本体と、箱本体内に設けられた磁性体缶収容部と非磁性体缶収容部と、箱本体の上部に設けられた蓋と、蓋に連結された缶案内部材と、缶案内部材に設けられた磁石と、缶押し出し部材と、缶案内部材に設けられた缶押し出し部材進入空間を有し、
缶案内部材は蓋の動きに連動し、缶案内部材の動きによって缶押し出し部材が缶押し出し部材進入空間に進入・退出を行うようになした空き缶分別回収箱。
【請求項２】
缶案内部材は長方形の板状部材であり蓋に対して固定されており、缶押し出し部材は磁性体缶収容部の上において箱本体に固定されており、蓋が開いた状態では缶押し出し部材は缶押し出し部材進入空間に進入しておらず、蓋が閉じた状態では缶押し出し部材は缶押し出し部材進入空間に進入するようになした請求項１に記載の空き缶分別回収箱。
【請求項３】
箱本体の上部には缶投入空間が設けられ、缶投入空間の側面には垂直な板状の蓋が上辺において回転可能に箱本体に取り付けられ、缶案内部材は長方形の板状部材であり、缶案内部材は平行な２本のアームを介して蓋に連結されており、缶案内部材は非磁性体缶収容部の上に設けられた支持棒によって回転可能に支持されており、缶押し出し部材は非磁性体缶収容部の上において箱本体に固定されており、蓋が開いた状態では缶押し出し部材は缶押し出し部材進入空間に進入しておらず、蓋が閉じた状態では缶押し出し部材は缶押し出し部材進入空間に進入するようになした請求項１に記載の空き缶分別回収箱。
【考案の詳細な説明】
【技術分野】
【０００１】
この考案は、スチール缶など磁性体の空き缶と、アルミ缶など非磁性体の空き缶を分別して収集する回収箱に関する。
【背景技術】
【０００２】
缶入り飲料の飲用後に生じる空き缶は、専用の回収箱によって回収され、金属として再利用されている。飲料の容器としては金属缶以外にも、ペットボトルや紙パックなどが使用されているが、通常はそれぞれの素材の容器の回収のための箱が設けられており、利用者はそれぞれの箱に使用済み容器を分別して廃棄している。
【０００３】
しかし、飲料用の金属缶には、スチール缶のような磁性体のものとアルミ缶のような非磁性体のものが使用されている。これらの缶はそれぞれ再生方法が異なるので、分別して回収されることが好ましい。しかし、スチール缶とアルミ缶は見た目にも区別がつきにくく、消費者に分別廃棄を求めにくい。空き缶の回収箱もスチール缶用とアルミ缶用に分かれていない。両者を区別することなく、単に空き缶として回収されており、回収後に分別作業が行われている。
【０００４】
一方、特許文献１では、簡単な機構でスチール缶とアルミ缶を分別でき、また、メンテナンスも不要な空き缶分別箱として、天板部と、該天板部の下方側の周壁部と、該周壁部の下方側の底板部と、を有する箱体形状を成し、天板部に設けられ、横向きの空き缶を投入可能な略長方形状を成す開口と、投入される空き缶を開口の一方の長辺側から他方の長辺側へ案内して他方の長辺の下方に連なる他方側の壁部に当接させる案内板とを有する投入部と、他方側の壁部の下端付近に設けられた磁石と、他方側の壁部から下垂された下垂シート片と、  鉛直に下垂されている下垂シート片の鉛直下方位置に設けられ、下垂シート片の下方の箱体内を２室に分割する分離壁とを有する空き缶分別箱が提案されている。
【先行技術文献】
【特許文献】
【０００５】
【特許文献１】特許第５７９２８８１号特許公報
【考案の概要】
【考案が解決しようとする課題】
【０００６】
従来の空き缶回収箱では、スチール缶とアルミ缶が区別されることなく一緒に投入されるので、それらを回収した後に、磁石などによって分別している。
【０００７】
特許文献１の空き缶分別箱では、使用済みのスチール缶とアルミ缶を、簡単な機構により分別できる。しかし、磁石の磁力により落下中のスチール缶を下垂シート片に抗してスチール缶収容室へ正確に導くには、磁石の設置位置や下垂シート片の長さ・設置地などを微妙な加減で調整しなければならない。同文献の図４に示すように下垂シート片の長さによっても、成功率は大きく変化する。しかも、最もよい長さにおいても成功率は１００％ではない。さらに、現実に使用されている缶には複数の大きさのものがあり、投入する人の投げ込む角度や速度によっても軌道が変わり、その全てに対して最適な条件を保つことは困難である。
【０００８】
この考案は、簡単な構造でありながら、磁性体の空き缶と非磁性体の空き缶を正確に分別して収集する回収箱を提供することを目的とする。
【課題を解決するための手段】
【０００９】
上述の課題を解決するため、この考案の空き缶分別回収箱は、箱本体と、箱本体内に設けられた磁性体缶収容部と非磁性体缶収容部と、箱本体の上部に設けられた蓋と、蓋に連結された缶案内部材と、缶案内部材に設けられた磁石と、缶押し出し部材と、缶案内部材に設けられた缶押し出し部材進入空間を有し、缶案内部材は蓋の動きに連動し、缶案内部材の動きによって缶押し出し部材が缶押し出し部材進入空間に進入・退出を行う。
【００１０】
さらに、缶案内部材は長方形の板状部材であり蓋に対して固定されており、缶押し出し部材は磁性体缶収容部の上において箱本体に固定されており、蓋が開いた状態では缶押し出し部材は缶押し出し部材進入空間に進入しておらず、蓋が閉じた状態では缶押し出し部材は缶押し出し部材進入空間に進入するようになしてもよい。
【００１１】
あるいは、箱本体の上部には缶投入空間が設けられ、缶投入空間の側面には垂直な板状の蓋が上辺において回転可能に箱本体に取り付けられ、缶案内部材は長方形の板状部材であり、缶案内部材は平行な２本のアームを介して蓋に連結されており、缶案内部材は非磁性体缶収容部の上に設けられた支持棒によって回転可能に支持されており、缶押し出し部材は非磁性体缶収容部の上において箱本体に固定されており、蓋が開いた状態では缶押し出し部材は缶押し出し部材進入空間に進入しておらず、蓋が閉じた状態では缶押し出し部材は缶押し出し部材進入空間に進入するようになしてもよい。
【考案の効果】
【００１２】
この考案の空き缶分別回収箱は、簡単な構造でありながら、磁性体の空き缶と非磁性体の空き缶を正確に分別して収集する。
【図面の簡単な説明】
【００１３】
【図１】空き缶分別回収箱の第１の例を示す斜視図である。
【図２】同断面図である。
【図３】缶案内部材を示す底面図である。
【図４】空き缶分別回収箱の第１の例の作用を示す断面図である。
【図５】空き缶分別回収箱の第２の例を示す斜視図である。
【図６】同断面図である。
【図７】缶案内部材を示す平面図である。
【図８】缶押し出し部材を示す側面図である。
【図９】空き缶分別回収箱の第２の例の作用を示す断面図である。
【考案を実施するための形態】
【００１４】
この考案を実施するための形態について図面に基づいて説明する。図１は空き缶分別回収箱の第１の例を示す斜視図、図２は同断面図である。
【００１５】
空き缶分別回収箱１は、箱本体２と、箱本体２の上部に設けられた蓋３と、蓋に連結された缶案内部材７を有する。箱本体２の内部には非磁性体缶収容部５と磁性体缶収容部６が形成されている。蓋３には缶案内部材７が連結されており、缶案内部材７は蓋３の動きに連動するようになっている。また、空き缶分別回収箱１は、缶押し出し部材８を備えている。
【００１６】
缶案内部材７には磁石９と缶押し出し部材進入空間１０が設けられている。そして、缶案内部材７の動きによって缶押し出し部材８が缶押し出し部材進入空間１０に進入・退出を行うようになっている。
【００１７】
空き缶分別回収箱の第１の例について説明する。本例では、箱本体２は概ね直方体状の箱体であり、その上面の中央付近に蓋３が設けられている。箱本体２の内部は仕切り板１１によって非磁性体缶収容部５と磁性体缶収容部６に分離されている。非磁性体缶収容部５と磁性体缶収容部６にはそれぞれ着脱可能な空き缶回収かご１２，１３が設けられており、図２おける正面側には扉１４，１５が設けられている。扉１４，１５を開いて、空き缶回収かご１２，１３の取付・取出しができるようになっている。蓋３は長方形の板状であり、その一辺が支持軸１６を介して箱本体２に回転自在に取り付けられている。この支持軸１６は非磁性体缶収容部５と磁性体缶収容部６を分離する仕切り板１１の上方に設けられている。
【００１８】
缶案内部材７も略長方形の板状であり、一辺が支持軸１６において蓋３と接続されている。缶案内部材７は蓋３に対して所定の角度で結合されていて、この角度は変化しないように固定されている。
【００１９】
缶案内部材７には、支持軸１６に対して垂直な２本のスリット１０が缶押し出し部材進入空間として設けられている。また、缶案内部材７で蓋３から遠い側の面には磁石９が貼られていれる。
【００２０】
蓋３が設けられている場所では箱本体２に開口部が設けられていて、蓋３が降りたときには開口部を塞ぐようになっている。そして、この開口部において支持軸１６の反対側の縁部には垂直な壁１７が設けられている。缶案内部材７もほぼ開口部と同じまたはそれより若干小さめの形状である。
【００２１】
磁性体缶収容部６の上には、缶押し出し部材８が設けられている。ここでは箱本体２の天井から棒状の部材が下向きに取り付けられている。
【００２２】
第１の例の空き缶分別回収箱の作用について説明する。図４は空き缶分別回収箱の第１の例の作用を示す断面図である。蓋３が閉じた状態では缶案内部材７は箱本体２の奥の方に入っていて、磁性体缶収容部６の上に位置している。このとき、缶押し出し部材８は缶押し出し部材進入空間１０に進入している（図４ａ）。
【００２３】
空き缶を廃棄する場合、まず、蓋３を手で持ち上げて開く。蓋３に連動して缶案内部材７も支持軸１６を中心に回転する。そして、缶案内部材７は開口部を箱本体２の内側から塞ぐような状態になる（図４ｂ）。
【００２４】
空き缶ｘを缶案内部材７の上に載せる（図４ｃ）。開口部の先端部には垂直な壁１７があるので、この壁１７と缶案内部材７によってポケット状の窪みが形成され、空き缶ｘはこの窪み部で保持される。
【００２５】
ついで、蓋３の先端部を下げることにより、開口部が蓋３によって塞がれる。蓋３に連動して缶案内部材７も投入された空き缶ｘとともに箱本体２の中に入っていく。缶案内部材７は始めは非磁性体缶収容部５の上を通過する。非磁性体缶収容部５と磁性体缶収容部６を分離する仕切り板１１の上を通るときには、缶案内部材７は完全に垂直になっている。したがって、空き缶ｘがアルミ缶のような非磁性体缶である場合は、必ず非磁性体缶収容部５に落下する。
【００２６】
一方、投入された空き缶ｘがスチール缶のような磁性体缶である場合は、磁石９の磁力によって缶案内部材７に貼りつき、落下することなく非磁性体缶収容部５を通過し、磁性体缶収容部６の上まで運ばれる。
【００２７】
蓋３が完全に閉じられたとき、缶案内部材７は最も奥側に進行する。このとき、缶押し出し部材８は缶案内部材７の缶押し出し部材進入空間１０に進入する。この缶押し出し部材８は空き缶ｘを押して缶案内部材７から引き離す。空き缶ｘは磁性体缶収容部６の中に落下する。缶押し出し部材８は磁性体缶収容部６の上に固定されているので、押し出された空き缶ｘは必ず磁性体缶収容部６に落下する。
【００２８】
以上、この空き缶分別回収箱１の利用者は、空き缶がスチール缶であるかアルミ缶であるかを一切考えることなく、単純に蓋３を開けて空き缶を入れ、蓋３を閉じるだけで磁性体缶と非磁性体缶に分別されて回収される。磁性体缶と非磁性体缶では回収されていく速さが異なることも想定されるが、それぞれが独立した空き缶回収かご１２，１３に回収されるので、扉１４，１５を開いて、満杯になった缶回収かごを引き出して、空き缶を取り出せばよい。
【００２９】
空き缶分別回収箱の第２の例について説明する。図５は空き缶分別回収箱の第２の例を示す斜視図、図６は同断面図、図７は缶案内部材を示す平面図、図８は缶押し出し部材を示す正面図である。第１の例の空き缶分別回収箱と共通する事項についての詳述は避け、本例に特有な事項について重点的に説明する。
【００３０】
箱本体２の上部には大きな缶投入空間１８が設けられている。この缶投入空間１８の前面は垂直になっており、垂直な板状の蓋３がその上辺において支持軸１６により回転可能に箱本体に取り付けられている。箱本体２の下部は非磁性体缶収容部５と磁性体缶収容部６に分離されており、缶投入空間１８の下側に非磁性体缶収容部５が位置している。
【００３１】
缶案内部材７は長方形の板状部材であり、缶案内部材７は平行な２本のアーム１９を介して蓋３に連結されている。蓋３とアーム１９の接続箇所、および、アーム１９と缶案内部材７の接続箇所はそれぞれ相互に回転可能な関節になっている。さらに缶案内部材７はアーム１９との接続部とは反対側の端部において、箱本体２に対して回転自在に支持されている。したがって、蓋３とアーム１９と缶案内部材７は一種のリンク機構を構成している。
【００３２】
図８は缶押し出し部材を示す側面図である。非磁性体缶収容部５の上部に棒状の固定具が取り付けられており、この固定具に突起状の缶押し出し部材８が設けられている。
【００３３】
第２の例の空き缶分別回収箱の作用について説明する。図９は空き缶分別回収箱の第２の例の作用を示す断面図である。蓋３が外側から押されていないときは、蓋３自体の重さおよび缶案内部材７の重さにより蓋３は閉じた状態になっている。このとき、缶押し出し部材は缶押し出し部材進入空間に進入した状態である（図９ａ）。
【００３４】
空き缶を廃棄する場合、まず、蓋３を手で押して、投入口を開く。蓋３の動きはアーム１９を介して缶案内部材７に伝達され、缶案内部材７が投入口へ接近する（図９ｂ）。空き缶を投入できる程度に蓋３が開かれたとき、缶案内部材７は投入口の下まで上昇し、磁性体缶収容部６から非磁性体缶収容部５へ向けて下がるような傾きになっている（図９ｃ）。この状態で、空き缶ｘが投入される。
【００３５】
空き缶ｘは缶案内部材７に接触する。空き缶ｘが非磁性体缶である場合は、缶案内部材７の傾斜により非磁性体缶収容部５へ導かれ、そこで落下する。
【００３６】
空き缶ｘが磁性体缶である場合は、缶案内部材７に付着し、まだ落下しない。利用者は空き缶ｘの投入後に蓋３から手を放すので、蓋３は蓋３自体の重さと缶案内部材７の重さによって閉じていく。蓋３が完全に閉じたとき、缶案内部材７は最も奥に進む。このとき、缶案内部材７は非磁性体缶収容部５から磁性体缶収容部６へ向けて下がるような傾きになっている（図９ｄ）。また、缶押し出し部材は缶押し出し部材進入空間に進入した状態になる。缶押し出し部材８は空き缶ｘを押して缶案内部材７から引き離す。空き缶ｘは缶案内部材７の傾斜により磁性体缶収容部６へ導かれ、そこで落下する。
【００３７】
以上、利用者の行うのは、蓋３を押して投入口より空き缶を投入するだけであり、通常のごみ箱にごみを捨てる場合と同じ動作である。しかし、投入された空き缶ｘは磁性体缶と非磁性体缶に分別されて回収される。
【符号の説明】
【００３８】
１．空き缶分別回収箱
２．箱本体
３．蓋
５．非磁性体缶収容部
６．磁性体缶収容部
７．缶案内部材
８．缶押し出し部材
９．磁石
１０．缶押し出し部材進入空間
１６．支持軸
【図１】
0003204719.tif 000003
【図２】
0003204719.tif 000004
【図３】
0003204719.tif 000005
【図４】
0003204719.tif 000006
【図５】
0003204719.tif 000007
【図６】
0003204719.tif 000008
【図７】
0003204719.tif 000009
【図８】
0003204719.tif 000010
【図９】
0003204719.tif 000011